(57)【要約】【目的】  天井スラブに吊り下げボルトで設置される野縁受け等の横バー部材に、簡易に水糸を張ることのできる水糸張り装置を提供する。【構成】  横バー部材１２に、吊り下げ状に取付けられるフック２６を有する２つの吊り下げ体２１ａ、２１ｂを備えている。一方の吊り下げ体２１ａは、下部に、水糸１００の一端が接続されかつ自由状態でその水糸を所定の張力で巻き取る巻き取りリール３３を内蔵した水糸保持器３１を備えており、この保持器３１の側部には、水糸１００の他端が一定高さで引き出し可能の水糸出入り口３５を備える。他方の吊り下げ体２１ｂは、両吊り下げ体を横バー部材１２に吊り下げ状に取付けた際、水糸出入り口３５の高さに対応する長さ有しており、その水糸出入り口３５の高さに、水糸１００の他端を接続した。両吊り下げ体を、横バー部材１２に各フック２６にて取り付けるだけで、水糸が張られる。【選択図】     図１
2006002444.tif 000002
【特許請求の範囲】
【請求項１】
天井スラブに吊り下げボルトで設置される野縁受け、或いはこの野縁受けに支持される天井仕上げ材取り付け用の下地である野縁等の横バー部材の施工において、その横バー部材の高さレベルの測定用の水糸を張るのに用いられる水糸張り装置であって、
横バー部材に、吊り下げ状に取付けられる取り付け手段を有する２つの吊り下げ体を有し、そのうちの一方の吊り下げ体は、その下部に、水糸の一端が接続されかつ自由状態においてその水糸を所定の張力で巻き取るように構成された巻き取りリールを内蔵した水糸保持器を備えており、該水糸保持器の側部には、前記水糸の他端が一定高さにおいて外部に引き出し可能とされた水糸出入り口が設けられており、しかも、他方の吊り下げ体は、両吊り下げ体を前記横バー部材に吊り下げ状に取付けた際において、前記水糸出入り口の高さに対応する部位を備えているとともに該水糸出入り口の高さにおいて前記水糸の他端を接続していることを特徴とする水糸張り装置。
【請求項２】
天井スラブに吊り下げボルトで設置される野縁受け、或いはこの野縁受けに支持される天井仕上げ材取り付け用の下地である野縁等の横バー部材の施工において、その横バー部材の高さレベルの測定用の水糸を張るのに用いられる水糸張り装置であって、
横バー部材に、吊り下げ状に取付けられる取り付け手段を有する２つの吊り下げ体を有し、各吊り下げ体は、その下部に、水糸の一端が接続されかつ自由状態においてその水糸を所定の張力で巻き取るように構成された巻き取りリールを内蔵した水糸保持器を備えており、各水糸保持器の側部には、両吊り下げ体を前記横バー部材に吊り下げ状に取付けた際において各水糸の他端が同一高さにおいて外部に引き出し可能とされた水糸出入り口を備えており、各水糸保持器における水糸出入り口から引き出された水糸の他端同士が接続されていることを特徴とする水糸張り装置。
【請求項３】
前記吊り下げ体における取付け手段が、バネ性のある金属板を上端において折返し状に曲げてなるフックとされ、このフックを横バー部材に上方から下向きに外嵌めすることで、フック自身のバネ性によって該横バー部材を両側から挟み付ける構成とされていることを特徴とする請求項１又は２に記載の水糸張り装置。
【請求項４】
前記水糸保持器が、前記吊り下げ体に対し、上下の軸線回りに相対的に回転自在に取り付けられていることを特徴とする請求項１〜３のいずれか１項に記載の水糸張り装置。
【発明の詳細な説明】
【技術分野】
【０００１】
本発明は、天井スラブに吊り下げボルトで吊り下げ状に設置されるの野縁受け、或いはこの野縁受けに支持される天井仕上げ材用の下地（取り付け用下地）である野縁等の横バー部材（横梁）の施工において、それら複数の横バー部材が同一レベル（一水平面）にあるかを水糸を張ることで測定するのに用いられる水糸張り装置に関する。
【背景技術】
【０００２】
例えば、鉄筋、鉄骨コンクリート製建築物の天井の仕上げ材の施工は、一般に次のように行っている。すなわち、図８に示すように、まず天井床スラブＳ等から吊下した吊りボルト１０によって、吊り下げ金具（フック）１１を介し、複数本の野縁受けという横梁（以下、野縁受け、又は横バー部材ともいう）１２を、平面視（上から見て）、所定間隔で平行に支持する。図示の野縁受け１２は、亜鉛メッキ鋼板が断面Ｃ形チャンネル状に折曲形成されてなる直線状の鋼材である。そして、その野縁受け１２の下面１２ａに対して、平面視、直角方向に複数本の野縁１３という子梁（断面略リップ溝形状に折曲形成されたものであり、Ｍ形野縁、又はＭバーともいわれる、以下、野縁又は横バー部材ともいう）１３をクリップ１４によってそのウェッブが下になるようにして所定間隔で平行に取着する。そして、その野縁１３の下面に対して天井仕上げ材Ｂをタッピングねじにて固定する。
【０００３】
このような仕上げ材Ｂを同一高さで水平に正しく施工、固定するには、野縁受け１２及び野縁１３の例えば最下面が同一高さで水平に施工されていないといけない。このため、天井仕上げ材Ｂの施工前には、こうした野縁受け１２等の横バー部材の最下面が同一高さに施工されているかの、いわゆる通りをチェックする作業が必要となる。こうして、その高さに誤差がある場合には、野縁受け１２を吊り下げている吊ボルト１０の吊り下げ長さを、それに螺合されているナット１０ｂを回転し、その高さを適切高さとなるように調節するのである。このような野縁受け１２の水平を見る最も基本的な方法は、施工現場の両側の壁Ｋ寄り部位の野縁受け１２の高さを正しく出し、これを基準とし、その野縁受け１２の下縁（最下面）から下に、例えば５０ｍｍとか１００ｍｍとかの寸法を基準間隔Ｈと定め、この基準間隔が得られるように野縁受け１２の下に水糸１００を張り、野縁受け１２の適所において、その寸法Ｈをチェックするのが普通である。すなわち、張った水糸１００の両端間に存在する各吊ボルト１０の位置で、野縁受け１２の下縁（最下面）から水糸１００までの高さＨが基準間隔と一致しているかを定規でチェックし、誤差に応じて上記したように吊ボルト１０に螺合されているナット１０ｂを回してその高さを調節するのである。
【０００４】
一方、このような基本的な手法とは別に、水糸を張るための専用の器具（装置）も提案されている。例えば、長さ調節可能な棒本体と、棒本体の外側で棒本体の長手方向に沿って張設される水糸と、棒本体の伸縮と関係なく水糸を常に張設状態におくための張設手段とを備えたものがある（特許文献１）。
【特許文献１】特開平１１−２８７６５３号公報
【発明の開示】
【発明が解決しようとする課題】
【０００５】
上記した従来の技術のうち、前者の最も基本的な方法で水糸１００を張る場合には、作業者は、測定対象位置を変えるたびに、測定対象となる別の位置において、野縁受け１２の下から基準間隔Ｈが保持されるようにして水糸１００を張りなおす必要がある。また、このとき、水糸１００は、弛まないように適度の緊張状態が得られるようにする必要がある。そして、このような水糸を野縁受けの下から基準間隔が保持されるようにするためには、例えば、水糸の両端を縛りつけた適宜の金具（図示せず）を野縁受けに引っ掛けるなどして、基準間隔となるようにその寸法調節をする必要がある。そして、適度の緊張状態が保持されるようにするため、その一方の金具の下部に、適宜に水糸を巻き付けたり巻き戻したりする作業も要する。このため、水糸を張るのが極めて非効率的であった。しかも、このような横バー部材の高さのチェックは、精度を高めるため、１つの施工箇所（１室、１部屋）においても、平面視、縦横、或いは斜めに、多数の位置でそれを行う必要があることから、極めて手間のかかる作業となっていた。
【０００６】
一方、特許文献１に記載された水糸張設棒においては、その構造上、棒本体の長さの調節、固定を要することから、その取り扱いが面倒であるなど取り扱い性が悪いという欠点がある。特に問題なのは、このような水糸張設棒による場合には、施工箇所の１室が広い店舗や事務所などでは、その棒本体自体が相当に長いものが必要となる。ところが、このように長くなる場合には、重量も増しかつ撓み変形する上に、１人の作業者で真っ直ぐに保持するのも容易でないなど、実用的でないといった問題があった。
【０００７】
本発明は、こうした点に鑑みてなされたもので、簡易に、横バー部材に水糸を張ることのできる水糸張り装置を提供することをその目的とする。
【課題を解決するための手段】
【０００８】
請求項１に記載の本発明は、天井スラブに吊り下げボルトで設置される野縁受け、或いはこの野縁受けに支持される天井仕上げ材取り付け用の下地である野縁等の横バー部材の施工において、その横バー部材の高さレベルの測定用の水糸を張るのに用いられる水糸張り装置であって、
横バー部材に、吊り下げ状に取付けられる取り付け手段を有する２つの吊り下げ体を有し、そのうちの一方の吊り下げ体は、その下部に、水糸の一端が接続されかつ自由状態においてその水糸を所定の張力で巻き取るように構成された巻き取りリールを内蔵した水糸保持器を備えており、該水糸保持器の側部には、前記水糸の他端が一定高さにおいて外部に引き出し可能とされた水糸出入り口が設けられており、しかも、他方の吊り下げ体は、両吊り下げ体を前記横バー部材に吊り下げ状に取付けた際において、前記水糸出入り口の高さに対応する部位を備えているとともに該水糸出入り口の高さにおいて前記水糸の他端を接続していることを特徴とする。
【０００９】
請求項２に記載の本発明は、天井スラブに吊り下げボルトで設置される野縁受け、或いはこの野縁受けに支持される天井仕上げ材取り付け用の下地である野縁等の横バー部材の施工において、その横バー部材の高さレベルの測定用の水糸を張るのに用いられる水糸張り装置であって、
横バー部材に、吊り下げ状に取付けられる取り付け手段を有する２つの吊り下げ体を有し、各吊り下げ体は、その下部に、水糸の一端が接続されかつ自由状態においてその水糸を所定の張力で巻き取るように構成された巻き取りリールを内蔵した水糸保持器を備えており、各水糸保持器の側部には、両吊り下げ体を前記横バー部材に吊り下げ状に取付けた際において各水糸の他端が同一高さにおいて外部に引き出し可能とされた水糸出入り口を備えており、各水糸保持器における水糸出入り口から引き出された水糸の他端同士が接続されていることを特徴とする。
【００１０】
請求項３に記載の本発明は、前記吊り下げ体における取付け手段が、バネ性のある金属板を上端において折返し状に曲げてなるフックとされ、このフックを横バー部材に上方から下向きに外嵌めすることで、フック自身のバネ性によって該横バー部材を両側から挟み付ける構成とされていることを特徴とする請求項１又は２に記載の水糸張り装置である。
【００１１】
請求項４に記載の本発明は、前記水糸保持器が、前記吊り下げ体に対し、上下の軸線回りに相対的に回転自在に取り付けられていることを特徴とする請求項１〜３のいずれか１項に記載の水糸張り装置である。
【発明の効果】
【００１２】
本発明にかかる請求項１に記載の水糸張り装置においては、水糸を張る横バー部材の相互間において、一方の吊下げ体をその取付け手段を介して、基準となる部位の横バー部材に取付けるとともに、他方の吊り下げ体をその取付け手段を介して、間隔をおいて施工された基準となる別の横バー部材に取付ける。こうすることで、水糸は一方の吊下げ体の下部に設けられた水糸保持器における前記水糸出入り口から引き出されて適宜の張力で、横バー部材の下に一定高さ間隔（基準間隔）で張られる。すなわち、この水糸張り装置においては、２つの吊下げ体を別々に把持し、相互間の間隔を広げても狭めても水糸は弛むことがない。しかも、その水糸は、両吊り下げ体をその取付け手段を介して横バー部材に取付けるだけで、横バー部材の下面と一定の基準間隔を保持した状態で張られる。したがって、水糸を張る作業を極めて簡易に行うことができる。さらに、水糸張りの作業後においては、２つの吊下げ体を近づけることで、水糸は一方の吊り下げ体に設けられた水糸保持器内の巻き取りリールに巻き取られるため、極めてコンパクトになることから、移動や保管においても極めて便利である。
【００１３】
本発明にかかる請求項２に記載の水糸張り装置は、請求項１に記載のものにおける水糸保持器付の吊り下げ体が２個で組をなし、水糸がその両水糸保持器内に設けられた巻取りリールに各端部で巻き取られるため、同一の巻き取りリールであっても、２倍の長さの水糸を備えさせることができる。したがって、水糸保持器の大型化を招くことなく、長い距離に一度で水糸を張ることができるから、広い施工現場において好適である。
【００１４】
本発明にかかる請求項３に記載の水糸張り装置においては、その取り付け手段によって横バー部材へそれぞれワンタッチでの取り付けができる。しかも、各フックにって積極的に横バー部材を両側から挟みつける構成としたため、取り付け状態の安定度が高く、吊り下げ体のふらつきが防止されるため、精度よく水糸を張ることができる。
【００１５】
本発明にかかる請求項４に記載の水糸張り装置は、施工現場の１部屋において、平面視、ある部位に（例えば、部屋の１壁面に沿って）水糸を張って、そこでの横バー部材の高さチェックが終わったとき、その後、例えば、水糸の一端はその位置のままとして、他端側のみを平面視、例えば９０度回す形で水糸を張る場合や、平面視、対角方向となるように水糸を張る場合においても水糸の引き出しが（繰り出し）が阻害されることなく円滑に行われる。すなわち、水糸保持器が吊り下げ体に対して、上下の軸線周りに自在に回転できるから、水糸は水糸出入り口から張られる方向に円滑に引き出されるため、糸切れやその原因となる糸の摩耗や水糸出入り口における摩擦を低減できる。
【発明を実施するための最良の形態】
【００１６】
本発明にかかる第１の実施の形態について、図１〜図３に基づいて説明する。図１は、本例の水糸張り装置１について、水糸１００の中間部を省略して示した外観図であり、横バー部材１２に、それぞれ吊り下げ状に取付けられる取り付け手段を有する２つの吊り下げ体２１ａ，２１ｂと、その一方（図示左）の吊り下げ体２１ａの下部に設けられた水糸保持器３１及び水糸１００を主体として構成されている。このうち、水糸保持器３１は、プラスチック製の直方体（６面体）形状のケース（容器）からなり、内部には、詳しくは図示しないが、水糸１００の巻き取りリール３３が内蔵されており、この巻き取りリール３３に水糸１００の一端が接続されかつ自由状態においてその水糸１００が所定の張力で巻き取られている。この水糸保持器３１は、その直方体の６面に壁面を備えているが、その一側部（側壁）３４の下方には、この水糸１００の他端が一定高さにおいて外部に引き出し可能とされるように水糸出入り口３５が開口されており、水糸１００の他端（外側端部）を引っ張り出すことで所定の張力の状態で外部に水糸１００が張られるようにされている。
【００１７】
なお、巻き取りリール３３は、詳しくは図示しないが、円筒状のリールであり、水糸保持器３１内に回転自在にその中心軸が軸支され、常時、公知のバネ機構などで水糸を巻き取る方にそのリールに回転力が付与されるようにされている。因みにこのようなバネ機構の１例としてはバネ鋼からなる細い帯板を渦巻状に巻いてなる渦巻きバネを用いることで、容易に具体化される。具体的には、渦巻きバネの中心側の端部をリールの回転軸に固定（固着）する一方、その外側端部を水糸保持器３１の内面（内壁面）に固定し、水糸１００を巻き取った状態をそのバネの自由状態としておけばよい。
【００１８】
そして、この水糸保持器３１の上端部には、横バー部材１２に、吊り下げ状に取付けられる取り付け手段を有する一方の吊り下げ体２１ａがその下部を介して固定されている。本形態では、このような吊り下げ体２１ａは、所定の幅のバネ性のある鉄製帯板を、真っ直ぐ上下方向に延ばしてなる縦長部２３と、その上端部において横バー部材（本例では、チャンネルバー）１２の幅寸法Ｗより少し大きめの幅寸法分、横方に略９０度曲げてなる横曲げ部２４を有するとともに、その横曲げ部２４の端を下向きに折返し状に曲げてなる折り返し部２５を有するフック２６を備えている。本例では、この折り返し部２５と縦長部２３とのなす内側幅寸法が折り返し部２５の下方において横バー部材１２の幅Ｗより若干小さ目の寸法Ｗａとされている（図３参照）。なお、折り返し部２５の下端には外向きに広げられたガイド部２５ａが形成されている。本形態では、このフック２６が、横バー部材への取り付け手段とされており、横バー部材１２に上方から下向きに外嵌めされるとともに、その際において、フック２６自身のバネ性によって横バー部材１２をその折り返し部２５と縦長部２３とで両側から挟み付ける構成とされている。なお、折り返し部２５の高さは、横バー部材１２の高さＹ寸法より大きめとされている。
【００１９】
また、他方（図１右側）の吊り下げ体２１ｂは、前記した吊り下げ体２１ａに対し、縦長部２３が長く形成されている点は異なるものの、他は基本的には共通している。具体的には次のように構成されている。すなわち、この吊り下げ体２１ｂも、所定の幅のバネ性のある鉄製帯板を、真っ直ぐ上向きに延ばしてなる縦長部２３と、その上端部において横バー部材１２の幅寸法Ｗより少し大きめの幅寸法分、横方に略９０度曲げてなる横曲げ部２４を有するとともに、その横曲げ部２４の端を下向きに折返し状に曲げてなる折り返し部２５を有するフック２６を備えている。そして、この折り返し部２５と縦長部２３とのなす内側幅寸法が折り返し部２５の下方において横バー部材２１の幅Ｗより若干小さ目とされている。このようにこの吊り下げ体２１ｂについても、フック２６が、横バー部材１２への取り付け手段とされており、前記した図示左の吊り下げ体２１ａと全く同様にして横バー部材１２に取り付けられるように構成とされている。なお、この他方の吊り下げ体２１ｂは、その全高（全長）が、上記したように、図示左の吊り下げ体２１ａと水糸保持器３１とを接合してなる全高とが略同じとなるように、縦長部２３が長く設定されている。そして、両吊り下げ体２１ａ、２１ｂが、各フック２６によって横バー部材１２に吊り下げ状に取り付けられた際において、水糸保持器３１における水糸出入り口３５から引き出された水糸１００の他端が、この他方の吊り下げ体２１ｂの縦長部２３の下部に、水糸出入り口３５と同一高さとなる位置において縛り付けられるなどして固定されている。
【００２０】
このような本形態の水糸張り装置１においては、水糸保持器３１に接合された一方の吊り下げ体２１ａと、他方の吊り下げ体２１ｂとを、同一寸法の横バー部材１２に対し、それぞれのフック２６を横バー部材１２に上方から下向きに外嵌めして、各フック２６自身のバネ性によって各横バー部材１２を両側から挟み付けて吊り下げ状とした際においては、水糸１００は、適度の張力の下で、水平に張られる。そして、その張られた水糸１００は、横バー部材１２の最下面から下に例えば１００ｍｍの基準間隔Ｈとなるように設定されている。
【００２１】
このような本形態の水糸張り装置１は、例えば、水糸保持器３１に接合された吊り下げ体２１ａを把持し、これをそのフック２６を介して、壁面寄り部位に施工された基準とされる横バー部材１２に、まず取り付ける。この取り付けは、上記したように、そのフック２６を横バー部材１２に上方から下向きに外嵌めし、フック２６自身のバネ性によって横バー部材１２を両側から挟み付けるようにする。そして、他方の吊り下げ体２１ｂを把持し、これをそのフック２６を介して、対向する壁面側に施工された基準とされるの横バー部材１２に同様にして取り付ける。なお、この両吊り下げ体２１ａ、２１ｂが取り付けられる基準とされる横バー部材１２の高さは、正しい高さに施工されている。このように、両吊り下げ体２１ａ、２１ｂを対向する横バー部材１２に取り付けることで、水糸１００はその取り付け作業にあわせて水糸出入り口３５から引き出され、基本的に弛むことなく適度の緊張状態の下で、両吊り下げ体２１ａ、２１ｂの間において、横バー部材１２の下に基準間隔Ｈを保持して張られる。
【００２２】
したがって、その後は、両吊り下げ体２１ａ、２１ｂの間に位置する他の横バー部材（図示せず）と水糸１００からの寸法を定規で測定し、要すれば、吊り下げボルト（図示せず）を適宜に調節して、その寸法が基準間隔Ｈとなるようにすれば良い。かくして、水糸１００を張る作業が簡易にできるため、このような横バー部材１２の高さ調整が容易にできる。また、その後は、この測定位置と、平面視、平行に、吊りボルト位置に対応するように間隔をおいた箇所での水糸１００の張り作業が必要であれば、両吊り下げ体２１ａ、２１ｂを横バー部材１２から取り外して、同様にしてその取付けを行うのであるが、その際の水糸張り作業も簡易にできる。しかも、取り外し後、両吊り下げ体２１ａ、２１ｂを両手に把持するときにおいては、水糸１００は、水糸保持器３１の巻き取りリール３３にて巻き取られているために弛みもないから、水糸１００の絡みつきもないので極めて扱いやすい。
【００２３】
なお、本形態では、吊り下げ体２１ａ、２１ｂにおける取り付け手段は、バネ性のあるフック２６とし、このフック２６を横バー部材１２に上方から下向きに外嵌めすることで、フック２６自身のバネ性によって横バー部材１２を両側から挟み付ける構成としている。このため、単純な構成でしかもワンタッチで、その着脱ができる上に、安定した取り付け状態が得られるため、精度の高い水糸張り作業が簡易、迅速にできる。
【００２４】
なお、上記形態における図示左の吊り下げ体２１ａとその下の水糸１００を含む水糸保持器３１を２個用い、それぞれの水糸１００の外側端部を接続したものとすれば、請求項２に記載した水糸張り装置となるが、このものでは、２倍の長さの水糸１００を備えたものを得ることができる。したがって、水糸保持器３１の大型化を招くことなく、長い距離に一度で水糸１００を張ることができるため、広大な床面積を有する店舗、事務所ビルにおけるような現場において好適である。
【００２５】
さて次に、本発明の請求項４に記載の水糸張り装置４１の実施形態について、図４および図５に基づいて説明する。ただし、このものは、図１の水糸張り装置における吊り下げ体２１ａと水糸保持器３１との間において、水糸保持器３１が吊り下げ体２１ａに対して、上下の軸線（縦軸）Ｇ回りに自在に回転できるように回転継ぎ手４２を介して、その両者が接合されている点が異なるだけであるため、その相違点のみ説明する。すなわち、このものは水糸保持器３１の上部の壁面３６に、保持器側継ぎ手体４３が取り付けられ、その保持器側継ぎ手体４３はその上面に所定の直径で平面視円形の凹部４４が設けられている。ただし、その凹部４４の上端部には内向きに円形のフランジ４５が同心で設けられている。一方、吊り下げ体２１ａの縦長部２３の下端には、吊り下げ体側継ぎ手体２７が設けられ、その下面には、凹部４４におけるそのフランジ４５の内径より太さの細い軸部２８が下向きに突出形成されている。そして、その軸部２８の先端には、凹部４４内において軸線Ｇ回りに回転のみ自在にできるように凹部のフランジ４５にて係合して抜けない円板２９を備えている。
【００２６】
本形態では、このような保持器側継ぎ手体４３と、吊り下げ体側継ぎ手体２７とからなる回転継ぎ手４２を介して、水糸保持器３１が吊り下げ体２１ａに対して、上下の軸線Ｇ回りに回転が自在とされているため、水糸保持器３１を平面視において、水糸１００が張られる方向に、すなわち、水糸が引っ張られる方向に水糸出入り口３５を向かせることができる。これにより、水糸１００が水糸出入り口３５から引き出される際、その水糸出入り口３５における摩擦を低減できるため、水糸１００の引き出しが円滑に行われるので、糸切れ防止にも有効である。このような本形態の水糸張り装置４１によれば、平面視、施工現場における部屋の壁面に沿ってではなく、壁面と角度を付けて、あるいは、部屋の対角方向に水糸を張る場合に好適である。
【００２７】
本発明は、上記したものに限定されるものではなく、その要旨を逸脱しない範囲において、適宜に変更して具体化できる。例えば、本発明における取り付け手段は、吊り下げ体が横バー部材に吊り下げ状に取り付けられ、水糸張りに支障が出なければ良く、したがって、図６に示したように、上記のような吊り下げ体２１ａにおいて、フック２６の構成とする場合でも、横バー部材１２の両面をバネ性で挟み付けることなく、微小な隙間を保持して、あるいは隙間なく横バー部材１２に嵌るようにしておいても良い。また、この場合、図６に示したように、例えば縦長部２３の上部（又はフック２６の折返し部２５）に、ネジ孔を設けておいてそのネジ孔に蝶ネジ（ボルト）等のネジ部材５１を緩く螺合しておき、そのフック２６を横バー部材１２に嵌めた後で、必要に応じてそのネジ部材５１をねじ込んで、横バー部材１２を押えるようにして固定しても良い。
【００２８】
さらに、バネ性を利用して、横バー部材を挟み付けるようにするとしても、例えば、図７に示したように、吊り下げ体２１ａにおける上端（縦長部２３の上端）に、バネ性のある二股部２６ｃ、２６ｃを上が開放されるようにして横バー部材１２の横幅寸法Ｗより幅狭に形成しておき、下から上に、この二股部２６ｃ、２６ｃを移動して、横バー部材２１がその二股部２６ｃ、２６ｃにてバネ性によって挟まれて取り付けられるように形成しておいてもよい。図中の２５ａは取り付け時のガイドであり、二股部２６ｃの端部が外広がりとされている。なお、水糸には、耐熱性の高い素材からなる糸を用いるのが好ましい。もちろん、引張り強度も高く、巻き取り性の良い水糸を用いるのが良い。
【図面の簡単な説明】
【００２９】
【図１】本発明の請求項１に係る水糸張り装置の実施の形態の説明用側面図。
【図２】図１において矢印Ａ方向から見た図。
【図３】図１における吊り下げ体が横バー部材に吊り下げ状に取り付けられる前のフック部分の図。
【図４】請求項４に係る水糸張り装置の実施の形態の説明用側面図。
【図５】図４の要部部分断面拡大図。
【図６】吊り下げ体の取り付け手段の別例の要部側面図。
【図７】吊り下げ体の取り付け手段の別例の要部側面図。
【図８】従来の横バー部材の施工状態と、水糸の張り方を説明する説明用側面図及び部分拡大図。
【符号の説明】
【００３０】
１  水糸張り装置
１２  横バー部材
２１ａ、２１ｂ  吊り下げ体
２６  フック（取り付け手段）
３１  水糸保持器
３３  巻き取りリール
３５  水糸出入り口
１００  水糸
【図１】
2006002444.tif 000003
【図２】
2006002444.tif 000004
【図３】
2006002444.tif 000005
【図４】
2006002444.tif 000006
【図５】
2006002444.tif 000007
【図６】
2006002444.tif 000008
【図７】
2006002444.tif 000009
【図８】
2006002444.tif 000010